【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】  建築構造の建設に使用する建築パネルであって、
略平面のコンクリート・スラブと、
前記コンクリート・スラブと共に形成され、且つ、そのスラブの下面から延びているコンクリート製の複数の１次ビームと、
前記コンクリート・スラブと共に形成され、且つ、そのスラブの下面から前記１次ビームに交差して延びているコンクリート製の複数の２次ビームと、
前記１次ビームの下面において各１次ビームの長さに沿って延びている略Ｕ字形状のチャネルと、
前記コンクリート・スラブの上面に沿って配置された鋼製プレートと、
各１次ビームの長さに沿って延びている各チャネルに溶接され、各々が前記１次ビームを形成するコンクリート中に延び、前記平面のコンクリート・スラブ中に入る複数の第１バー・アンカーと、
前記鋼製プレートに溶接され、前記平面のコンクリート・スラブ中に延び、前記１次ビーム中に入る複数の第２バー・アンカーと、
を含む建築パネル。
【請求項２】  前記１次ビームが、前記２次ビームより大きな深さを有する請求項１に記載の建築パネル。
【請求項３】  各１次バー・アンカーがそれぞれのチャネルの内隅に溶接され、前記１次ビームを形成するコンクリート中に斜めに延びている請求項１に記載の建築パネル。
【請求項４】  前記第１バー・アンカーが互いに対して角度をなして配向している第１および第２部分を含む請求項１に記載の建築パネル。
【請求項５】  各２次ビームの下面において各２次ビームの長さに沿って延びているＵ字形状の金属チャネルと、各２次ビームの長さに沿って延びているＵ字形状の金属チャネルに溶接された複数のバー・アンカーとを含み、各２次ビームの長さに沿って延びている前記Ｕ字形状の金属チャネルに溶接された前記バー・アンカーが前記２次ビーム中に延び、前記平面のコンクリート・スラブ中に入る請求項１に記載の建築パネル。
【請求項６】  建築構造の建設に使用する建築パネルであって、
縁面を有する略平面のコンクリート・スラブと、
ある深さを有し、前記コンクリート・スラブと共に形成され、且つ、前記コンクリート・スラブの下面から延びているコンクリート製の複数の１次ビームと、
金属部材が溶接表面として役立つように露出されるように、前記コンクリート・スラブから分離し、前記コンクリート・スラブの前記縁面上に位置し、前記コンクリート・スラブの前記縁面に沿って、また前記縁面と交差する前記コンクリート・スラブの側面の部分に沿って延びている金属Ｕ字形状の第１チャネル・セクションと、
前記金属Ｕ字形状の前記第１チャネル・セクションに溶接され、前記コンクリート・スラブ中に埋め込まれ、前記コンクリート・スラブに面する前記金属Ｕ字形状の前記第１チャネル・セクションの表面にそれぞれ溶接されて、前記金属Ｕ字形状の前記第１チャネル・セクションを前記コンクリート・スラブに対して適所に固定し、前記金属Ｕ字形状の前記第１チャネル・セクションが内隅を有し、前記金属Ｕ字形状の前記第１チャネル・セクションの内隅に溶接された、複数の第１バー・アンカーと、
前記１次ビームの下面において各１次ビームの長さに沿って延びている略Ｕ字形状の第２チャネルと、
Ｕ字形状の前記第２チャネルに溶接されて、前記１次ビームの深さ中に延び、前記コンクリート・スラブ中に入る複数の第２バー・アンカーと、
を含む建築パネル。
【請求項７】  第１バー・アンカーが互いに対して角度をなして配向している第１および第２部分を含む請求項６に記載の建築パネル。
【請求項８】  前記コンクリート・スラブが平面のコンクリート床パネルを含んでおり、そのコンクリート床パネルから延びている複数の離間した２次ビームを含む請求項６に記載の建築パネル。
【請求項９】  前記コンクリート・スラブが上面を有しており、前記コンクリート・スラブの上面に沿って延びている金属プレートを含み、且つ前記コンクリート・スラブの上面に沿って延びている前記金属プレートに連結された複数の離間した第３バー・アンカーを含み、前記第３バー・アンカーが前記コンクリート・スラブ中に延び、前記１次ビームを形成するコンクリート中に入る請求項８に記載の建築パネル。
【請求項１０】  建築パネルであって、
略平面の第１コンクリート床パネルであって、縁面と、その第１コンクリート床パネルの縁面に位置する第１金属部材と、その第１金属部材に溶接され、前記第１コンクリート床パネル中に埋め込まれて前記第１金属部材を前記第１コンクリート床パネルに対して適所に固定する複数の第１バー・アンカーとを有する第１コンクリート床パネルと、
略平面の第２コンクリート床パネルであって、縁面と、その第２コンクリート床パネルの縁面に位置する第２金属部材と、その第２金属部材に溶接され、前記第２コンクリート床パネル中に埋め込まれて前記第２金属部材を前記第２コンクリート床パネルに対して適所に固定する複数の第２バー・アンカーとを有する第２コンクリート床パネルとを含み、
前記第１金属部材が、前記第１および第２コンクリート床パネルが互いに連結されるように前記第２金属部材に溶接されており、
前記第１コンクリート床パネルから延び、下面を有するコンクリート・ビームと、
さらに、前記コンクリート・ビームの長さに沿って延びている第３金属部材と、
前記第３金属部材に溶接され、前記コンクリート・ビームの中に埋め込まれた複数の第３バー・アンカーと、
端面を有する略平面のコンクリート壁パネルと、
前記コンクリート壁パネルの前記端面に沿って延び、前記第３金属部材が溶接されている第４金属部材と、
を含む建築パネル。
【請求項１１】  前記コンクリート・ビームが２次コンクリート・ビームであって、第１コンクリート床パネルから延びている複数の離間したコンクリート１次ビームを含み、前記１次および２次ビームが互いに交差して延びている請求項１０に記載の建築パネル。
【請求項１２】  建築パネルであって、
垂直に配向した略平面の第１コンクリート壁パネルであって、その平面の第１壁パネルに対して略直角に延びて、垂直に配向した端面を有する第１コンクリート・スタブ壁と、その第１スタブ壁の前記端面に位置する第１金属チャネルと、その第１金属チャネルに溶接されて前記第１コンクリート・スタブ壁中に埋め込まれた複数の第１バー・アンカーとを有する垂直に配向した略平面の第１コンクリート壁パネルと、
垂直に配向した略平面の第２コンクリート壁パネルであって、その第２金属チャネルが配置された垂直に配向した端面と、その第２金属チャネルに溶接されて第２コンクリート壁パネル中に埋め込まれた複数の第２バー・アンカーとを有し、前記第２コンクリート壁パネルが平面の前記第２コンクリート壁パネルに対して略直角に延びている第２スタブ壁を有し、前記第２スタブ壁が、垂直に配向した端面と、前記第２スタブ壁の端面に位置する第３金属チャネルと、前記第３金属チャネルに溶接されて第２コンクリート・スタブ壁中に埋め込まれた複数の第３バー・アンカーとを有する垂直に配向した略平面の第２コンクリート壁パネルとを含む建築構造であって、
前記第１金属チャネルが前記第２金属チャネルに溶接されて、前記第１および第２壁パネルを互いに固定する建築構造。
【請求項１３】  第４金属チャネルが位置する垂直に配向した端面を有する垂直に配向した略平面の第３コンクリート壁パネルと、第４金属チャネルに溶接されて第３コンクリート壁パネル中に埋め込まれた複数の第４バー・アンカーとを含み、前記第３金属チャネルが第４金属チャネルに溶接されている請求項１２に記載の建築構造。
【請求項１４】  前記第１コンクリート壁パネルの上にある水平に配向したコンクリート床スラブを含み、そのコンクリート床スラブが、前記コンクリート床スラブの下部分に沿って延びている金属チャネルと、前記コンクリート床スラブの下部分に沿って延びている金属チャネルに溶接されて前記コンクリート床スラブ中に埋め込まれた複数のバー・アンカーとを含み、前記第１コンクリート壁パネルが、前記第１コンクリート壁パネルの上部縁面に沿って延びている金属チャネルと、前記第１コンクリート壁パネルの上部縁面に沿って延びている金属チャネルに溶接された複数のバー・アンカーとを含み、前記コンクリート床スラブの下部分に沿って延びている前記金属チャネルが、前記第１コンクリート壁パネルの上部縁面に沿って延びている前記金属チャネルに溶接されている請求項１２に記載の建築構造。